【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
圧力測定システムであって、
埋め込み型目的圧力センサと、
埋め込み型内部基準圧力センサであって、該目的圧力センサから遠隔に配置されている、埋め込み型内部基準センサと、
外部基準圧力センサであって、無線で局所大気圧信号を送信するように構成されている、外部基準圧力センサと、
埋め込み型目的圧力センサおよび埋め込み型内部基準圧力センサと通信するコントローラと
を含み、該コントローラは、
該外部基準圧力センサが該コントローラと通信しているときには、該埋め込み型内部基準圧力センサからの信号と該外部基準圧力センサからの該局所大気圧信号との間の相関因子を決定することと、
該外部基準圧力センサが該コントローラと通信していないときには、該埋め込み型内部基準圧力センサからの信号と相関因子とに基づいて、較正された基準圧力を決定することと、
該外部基準圧力センサが該コントローラと通信しているときには、該目的圧力センサからの該信号を該外部基準圧力センサからの該信号によって調整することによって、相対的生理学的目的圧力値を決定し、
該外部基準圧力センサが該コントローラと通信していないときには、該目的圧力センサからの該信号を該較正された該基準圧力によって調整することによって、相対的生理学的目的圧力値を決定することと
を行うように構成されている、圧力測定システム。
【請求項２】
前記コントローラと通信する少なくとも１つの状態インディケータをさらに含む、請求項１に記載の圧力測定システム。
【請求項３】
前記少なくとも１つの状態インディケータは、身体運動センサ、身体姿勢センサ、および時刻センサのうちの１つ以上を含む、請求項２に記載の圧力測定システム。
【請求項４】
前記少なくとも１つの状態インディケータは肺機能センサを含む、請求項２に記載の圧力測定システム。
【請求項５】
前記コントローラは、前記外部基準圧力センサの前記値を前記埋め込み型内部基準圧力センサの前記値から減ずることによって、該埋め込み型内部基準圧力センサからの信号と該外部基準圧力センサからの前記局所大気圧信号との間の相関因子を決定するように構成されている、請求項１に記載の圧力測定システム。
【請求項６】
前記相関因子は較正マトリックスに格納されている、請求項１に記載の圧力測定システム。
【請求項７】
前記コントローラは、前記少なくとも１つの状態インディケータからの信号に基づいて、患者の状態を分類するように構成されている、請求項２に記載の圧力測定システム。
【請求項８】
前記コントローラは、前記少なくとも１つの状態インディケータからの信号の変化のレートを評価するように構成されている、請求項２に記載の圧力測定システム。
【請求項９】
患者の体内から局所大気圧を決定する方法であって、該方法は、
埋め込み型局所圧力センサを用いて体内の圧力を感知することと、
少なくとも１つの状態インディケータを用いて体内の少なくとも１つの状態を感知することと、
該埋め込み型局所圧力センサおよび該少なくとも１つの状態インディケータから、埋め込み型医療機器のコントローラに信号を送信することと、
外部基準圧力センサから該コントローラに無線信号を送信することと、
該外部基準圧力センサが該コントローラと通信しているときに、相関因子を決定し格納することであって、該相関因子は該埋め込み型局所圧力センサからの信号と該外部基準圧力センサからの該信号との比較に基づいている、ことと、
局所大気圧値を決定することと
を含む、方法。
【請求項１０】
局所大気圧値を決定することは、前記外部基準圧力センサが前記コントローラと通信しているときには、該外部基準圧力センサからの信号に基づいている、請求項９に記載の方法。
【請求項１１】
局所大気圧値を決定することは、前記外部基準圧力センサが前記コントローラと通信していないときには、前記埋め込み型局所圧力センサからの信号および格納された相関因子に基づいている、請求項９に記載の方法。
【請求項１２】
前記少なくとも１つの状態インディケータは、身体運動センサ、身体姿勢センサ、および時刻センサのうちの１つ以上を含む、請求項９に記載の方法。
【請求項１３】
埋め込み型目的圧力センサからの信号と前記決定された局所大気圧値とに基づいて、相対目的圧力を決定することをさらに含む、請求項９に記載の方法。
【請求項１４】
前記少なくとも１つの状態インディケータからの信号の値に基づいて、較正マトリックスから格納された相関因子を選択することをさらに含む、請求項９に記載の方法。
【請求項１５】
前記少なくとも１つの状態インディケータからの信号に基づいて、前記患者の状態を分類することをさらに含む、請求項９に記載の方法。
【手続補正２】
【補正対象書類名】明細書
【補正対象項目名】０００８
【補正方法】変更
【補正の内容】
【０００８】
本発明は、添付の図面と関連する種々の本発明の実施形態の詳細な記述を考慮して、より完全に理解され得る。複数の実施形態が開示されているが、なおも、本発明の他の実施形態が、本発明の例示的実施形態を示し述べる以下の詳細な記述から、当業者には明白になるであろう。従って、図面と詳細な説明は例示的でありなんらの限定ではないとみなされるべきである。
例えば、本発明は以下の項目を提供する。
（項目１）
圧力測定システムであって、
埋め込み型目的圧力センサと、
埋め込み型内部基準圧力センサであって、該目的圧力センサから遠隔に配置されている、埋め込み型内部基準センサと、
外部基準圧力センサであって、無線で局所大気圧信号を送信するように構成されている、外部基準圧力センサと、
埋め込み型目的圧力センサおよび埋め込み型内部基準圧力センサと通信するコントローラであって、該コントローラは、
該外部基準圧力センサが該コントローラと通信しているときには、該埋め込み型内部基準圧力センサからの信号と該外部基準圧力センサからの該局所大気圧信号との間の相関因子を決定し、
該外部基準圧力センサが該コントローラと通信していないときには、該埋め込み型内部基準圧力センサからの信号と相関因子とに基づいて、較正された基準圧力を決定し、
該外部基準圧力センサが該コントローラと通信しているときには、該目的圧力センサからの該信号を該外部基準圧力センサからの該信号によって調整することによって、
該外部基準圧力センサが該コントローラと通信していないときには、該目的圧力センサからの該信号を該較正された該基準圧力によって調整することによって、
相対的生理学的目的圧力値を決定する
ように構成されている、コントローラと
を含む
圧力測定システム。
（項目２）
上記コントローラと通信する少なくとも１つの状態インディケータをさらに含む、項目１に記載の圧力測定システム。
（項目３）
上記少なくとも１つの状態インディケータは、身体運動センサを含む、項目２に記載の圧力測定システム。
（項目４）
上記少なくとも１つの状態インディケータは身体姿勢センサを含む、項目２に記載の圧力測定システム。
（項目５）
上記少なくとも１つの状態インディケータは時刻センサを含む、項目２に記載の圧力測定システム。
（項目６）
上記少なくとも１つの状態インディケータは肺機能センサを含む、項目２に記載の圧力測定システム。
（項目７）
上記コントローラは、上記外部基準圧力センサの上記値を上記埋め込み型内部基準圧力センサの上記値から減ずることによって、該埋め込み型内部基準圧力センサからの信号と該外部基準圧力センサからの上記局所大気圧信号との間の相関因子を決定するように構成されている、項目１に記載の圧力測定システム。
（項目８）
上記相関因子は較正マトリックスに格納されている、項目１に記載の圧力測定システム。
（項目９）
上記コントローラは、上記少なくとも１つの状態インディケータからの信号に基づいて、患者の状態を分類するように構成されている、項目２に記載の圧力測定システム。
（項目１０）
上記コントローラは、上記少なくとも１つの状態インディケータからの信号の変化のレートを評価するように構成されている、項目２に記載の圧力測定システム。
（項目１１）
圧力測定システムであって、
埋め込み型目的圧力センサと、
該目的圧力センサから遠隔に配置された埋め込み型内部基準圧力センサと、
局所大気圧信号を無線で送信するように構成されている外部基準圧力センサと、
少なくとも１つの状態インディケータと、
該埋め込み型目的圧力センサ、該埋め込み型内部基準圧力センサ、および該少なくとも１つの状態インディケータと通信するコントローラであって、該コントローラは、
該外部基準圧力センサが該コントローラと通信しているときに、該埋め込み型内部基準圧力センサからの信号と該外部基準圧力センサからの該局所大気圧信号との間の相関因子を決定し、
該外部基準圧力センサが該コントローラと通信していないときに、該埋め込み型内部基準圧力センサからの信号と相関因子とに基づいて、較正された基準圧力を決定し、
該少なくとも１つの状態インディケータに応答して、相対的生理学的目的圧力値を決定する
ように構成されている、コントローラと
を含む、圧力測定システム。
（項目１２）
患者の体内の局所大気圧を決定する方法であって、該方法は、
埋め込み型局所圧力センサと少なくとも１つの状態インディケータとを人間の体内に提供することと、
埋め込み型医療機器を提供することであって、該埋め込み型医療機器はコントローラを含み、該コントローラは、該埋め込み型局所圧力センサからの信号と該少なくとも１つの状態インディケータからの信号とを受信するように構成されている、ことと、
無線信号を該コントローラに送信するように構成されている外部基準圧力センサを提供することと、
該外部基準圧力センサが該コントローラと通信しているときに、相関因子を決定し格納することであって、該相関因子は該埋め込み型局所圧力センサからの信号と該外部基準圧力センサからの該信号とに基づいている、ことと、
局所大気圧値を決定することと
を含む、方法。
（項目１３）
局所大気圧値を決定することは、上記外部基準圧力センサが上記コントローラと通信しているときには、該外部基準圧力センサからの信号に基づいている、項目１２に記載の方法。
（項目１４）
局所大気圧値を決定することは、上記外部基準圧力センサが上記コントローラと通信していないときには、上記埋め込み型局所圧力センサからの信号および格納された相関因子に基づいている、項目１２に記載の方法。
（項目１５）
上記少なくとも１つの状態インディケータは、身体運動センサを含む、項目１２に記載の方法。
（項目１６）
上記少なくとも１つの状態インディケータは、身体姿勢センサを含む、項目１２に記載の方法。
（項目１７）
上記少なくとも１つの状態インディケータは、時刻センサを含む、項目１２に記載の方法。
（項目１８）
埋め込み型目的圧力センサを提供することと、
該埋め込み型目的圧力センサからの信号と上記決定された局所大気圧値とに基づいて、相対目的圧力を決定することと
をさらに含む、項目１２に記載の方法。
（項目１９）
上記少なくとも１つの状態インディケータからの信号の値に基づいて、較正マトリックスから格納された相関因子を選択することをさらに含む、項目１２に記載の方法。
（項目２０）
上記少なくとも１つの状態インディケータからの信号に基づいて、上記患者の状態を分類することをさらに含む、項目１２に記載の方法。